(57)【要約】【課題】第１のカバーと第２のカバーをネジで締結する場合に、ネジの緩みを防止する手段を提供する。【解決手段】媒体処理装置が、媒体を収納する内部空間の一部を形成する第１のカバーと、前記内部空間の残部を形成する第２のカバーと、を備え、前記第１のカバーは、前記第１のカバーと前記第２のカバーとを締結するネジを螺合させるネジ固定部と、前記ネジ固定部との間で所定の隙間を介して対向し、前記ネジの締付け時にネジ座面が接触するネジ座面受け部と、を有し、前記第２のカバーは、前記所定の隙間に挿入され、前記ネジを挿通させる穴部を設けた取付部を有する。【選択図】        図５
2019159626.tif 000002
【特許請求の範囲】
【請求項１】
媒体を収納する内部空間の一部を形成する第１のカバーと、
前記内部空間の残部を形成する第２のカバーと、を備え、
前記第１のカバーは、
前記第１のカバーと前記第２のカバーとを締結するネジを螺合させるネジ固定部と、
前記ネジ固定部との間で所定の隙間を介して対向し、前記ネジの締付け時にネジ座面が接触するネジ座面受け部と、を有し、
前記第２のカバーは、
前記所定の隙間に挿入され、前記ネジを挿通させる穴部を設けた取付部を有することを特徴とする媒体処理装置。
【請求項２】
請求項１に記載の媒体処理装置において、
前記ネジ座面受け部を前記第１のカバーの内側に設けると共に、前記取付部を前記第２のカバーの内側に設け、
前記第１のカバーと前記第２のカバーとを組合せた状態で、前記第１および第２のカバーの内側から前記ネジを前記ネジ固定部に螺合させて締付け可能であることを特徴とする媒体処理装置。
【請求項３】
請求項１または請求項２に記載の媒体処理装置において、
前記ネジ固定部は、前記第１のカバーの内側に開口する袋状のネジ穴であることを特徴とする媒体処理装置。
【請求項４】
請求項１ないし請求項３のいずれか一項に記載の媒体処理装置において、
前記第１のカバーと前記第２のカバーとを水平方向に組合せることを特徴とする媒体処理装置。
【請求項５】
請求項１ないし請求項４のいずれか一項に記載の媒体処理装置を備えたことを特徴とする自動取引装置。
【発明の詳細な説明】
【技術分野】
【０００１】
本発明は、紙幣等の媒体を収納する紙幣カセットやリジェクトカセット等の媒体処理装置およびそれを備えた現金自動預払機等の自動取引装置に関する。
【背景技術】
【０００２】
従来の現金自動預払機に設けられた紙幣カセットは、直方体状の筐体を前側カバー、後側カバーからなる２つの部材で構成して、内部に紙幣を収納するための収納空間を形成している（例えば、特許文献１参照。）。
また、現金自動預払機のリジェクトカセットを紙幣カセット１５と同様の構成としているものもある（例えば、特許文献２参照。）。
【先行技術文献】
【特許文献】
【０００３】
【特許文献１】特開２０１５−２１５７９０号公報（段落００４２、第５図、第７図）
【特許文献２】特開２０１４−２１８３５３号公報（段落０１９３−段落０１９４、第２図）
【発明の概要】
【発明が解決しようとする課題】
【０００４】
上述した従来の技術においては、一方が開放された２つの箱状部材である前側カバー、後側カバーを組立ててリジェクトカセットの筐体を形成している。
通常、リジェクトカセットの筐体６１を形成する前側カバー６２と後側カバー６３を組立てる場合は、図１０に示すように、前側カバー６２の取付部６４を後側カバー６３の内面側に挿入して組合せた後に、錠が設けられた扉６５を開放し、ネジ６６を前側カバー６２の取付部６４に設けられた貫通穴に挿通させ、後側カバー６３に設けられたネジ穴に螺合させてドライバ６７で締付け、その後に鍵で扉６５を施錠している。
【０００５】
この施錠により、通常は扉を解錠する鍵の所有者以外は、収納されている紙幣等に触れることはできない。
【０００６】
しかしながら、上記の筐体６１を、リジェクトカセットの取出しや運搬時に、垂直方向に落下させてしまった場合には、図１１に示すように、落下時の衝撃により、前側カバー６２と後側カバー６３が相反する方向（図１１に示す矢印Ｚ１、Ｚ２参照）に移動しようとする力が加わる場合がある。
【０００７】
このとき、ネジ６６は後側カバー６３のネジ穴に螺合しているので後側カバー６３と同方向に移動し、ネジ６６が締付けられている前側カバー６２の取付部６４はネジ座面に押圧されながら反対方向に移動する。
【０００８】
このため、ネジ６６のネジ座面と取付部６４が別方向に移動するときの摺動時の摩擦力によってネジ６６が緩んでしまうことがあり、前側カバー６２が後側カバー６３から外れてしまう等、保安上の問題が発生する場合がある。
【０００９】
本発明は、上記の問題点を解決するためになされたもので、前側カバーと後側カバーをネジで締結する場合に、ネジの緩みを防止する手段を提供することを目的とする。
【課題を解決するための手段】
【００１０】
本発明は、上記課題を解決するために、媒体処理装置が、媒体を収納する内部空間の一部を形成する第１のカバーと、前記内部空間の残部を形成する第２のカバーと、を備え、前記第１のカバーは、前記第１のカバーと前記第２のカバーとを締結するネジを螺合させるネジ固定部と、前記ネジ固定部との間で所定の隙間を介して対向し、前記ネジの締付け時にネジ座面が接触するネジ座面受け部と、を有し、前記第２のカバーは、前記所定の隙間に挿入され、前記ネジを挿通させる穴部を設けた取付部を有することを特徴とする。
【発明の効果】
【００１１】
これにより、本発明は、取付部とネジのネジ座面との摺動を回避して、ネジの緩みを防止することができるという効果が得られる。
【図面の簡単な説明】
【００１２】
【図１】実施例の現金自動預払機の外観を示す説明図
【図２】実施例の紙幣入出金機の概略構成を示す説明図
【図３】実施例のリジェクトカセットを示す説明図
【図４】図３のＡ−Ａ断面線に沿った断面を示す説明図
【図５】実施例のリジェクトカセットの筐体を示す説明図
【図６】図５のＢ部を示す拡大図
【図７】実施例のリジェクトカセットの組立方法を示す説明図
【図８】比較例の位置決め構造を示す説明図（（ａ）は側方断面図、（ｂ）は下面図）
【図９】比較例の位置決め構造の組立時の問題点を示す説明図
【図１０】従来のリジェクトカセットの組立方法を示す説明図
【図１１】従来のネジ緩みの発生状態を示す説明図
【発明を実施するための形態】
【００１３】
以下に、図面を参照して本発明による自動取引装置および媒体処理装置の実施例について説明する。
【実施例】
【００１４】
以下に、図１ないし図７を用いて本実施例の現金自動預払機およびリジェクトカセットについて説明する。
【００１５】
本実施例の自動取引装置としての現金自動預払機１は、銀行等の金融機関の支店やコンビニエンスストア等の店舗に設置され、金融機関のセンタに設置された図示しないホストコンピュータに、通信回線を介して接続されており、顧客との間での取引処理を自動で行う機能等を有している。
【００１６】
本実施例の現金自動預払機１は、図１、図２に示す構成を備えている。
操作表示部３は、現金自動預払機１の正面に設けられたＬＣＤ等の表示画面とタッチパネル等を備えており、表示画面に取引種別選択画面や顧客の処置を促す画面、利用者に対する情報等を表示する機能を有すると共に、タッチパネルにより顧客による選択入力等を受付ける。
キー入力部４は、テンキーや、金額の単位を入力するための「万」キー、「千」キー、入力の間違いを訂正するための「訂正」キー、出金金額等の入力終了を指示するための「確認」キー等の各種の入力キーを備えており、顧客の暗証番号や取引金額等の入力を受付ける。
【００１７】
本実施例の入力手段は、操作表示部３のタッチパネルおよびキー入力部４により構成される。
カード取扱部５は、現金自動預払機１の正面に設けられたカード挿入口から挿入された顧客のキャッシュカードやクレジットカード等の取引カードの磁気ストライプやＩＣチップ等に記録されている顧客の口座情報等のカード情報を読み書きする機能等を有している。
【００１８】
レシート発行部６は、感熱式等の印刷ヘッドを備えており、レシートに取引内容等を印字して現金自動預払機１の正面に設けられたレシート発行口から排出して顧客に機能等を有している。
紙幣入出金機８は、現金自動預払機１の内部に配置され、顧客が投入した、媒体としての紙幣を受入れ、これを鑑別および計数して収納し、顧客に支払う紙幣を計数して顧客に引渡す機能等を有しており、図２に示すように、入出金口１１、鑑別部１２、一時保留部１３、複数の紙幣カセット１５、リジェクトカセット１６、これらの間で紙幣を搬送する搬送路１７等が設けられている。
【００１９】
入出金口１１は、顧客からの紙幣の投入時および顧客への紙幣の引渡し時に入出金口１１を開閉するシャッタ１１ａ等を備えている。
鑑別部１２は、搬送される紙幣の真偽や正損、金種等を識別する機能、および紙幣の連鎖、斜行等の搬送異常を検出する機能等を有している。
【００２０】
一時保留部１３は、入金取引において入出金口１１に投入された紙幣で、鑑別部１２により真券と鑑別され、取込処理可能と判定された紙幣を集積して一時保留する。
紙幣カセット１５は、予め装填された出金に用いる紙幣、および入金された紙幣の中で循環使用する紙幣を金種別に収納する。
【００２１】
リジェクトカセット１６は、入金取引時に一時保留部１３から繰出され、鑑別部１２で汚損等により循環使用には適さないと鑑別された紙幣、および出金取引時に紙幣カセット１５から繰出され、鑑別部１２により重送等の搬送異常と鑑別された出金には用いない紙幣を収納する。
【００２２】
搬送路１７は、ベルト対もしくはローラ対またはベルトとローラの組合せで紙幣を搬送する搬送路であって、それぞれの搬送路１７の各分岐部には、図示しない切替ブレード等により紙幣の搬送方向を切替える切替機構が設けられている。
本実施例のリジェクトカセット１６の筐体２１は、図３、図４に示すように、一方が開放された２つの箱状部材である第２のカバーとしての前側カバー２２と、第１のカバーとしての後側カバー２３とを前後方向、つまり水平方向に組合せて形成され、組合された前側カバー２２と後側カバー２３で筐体２１の内部空間２１ａを形成する。
【００２３】
また、前側カバー２２の外壁を構成する前面板２２ａの中央部には、施錠可能な扉２４が回動可能に取付けられている。
更に、後側カバー２３の上部には、搬送路１７により搬送された紙幣を内部に搬入するための搬入ローラ２５ａを設けた搬送部２５が配置され、搬送部２５の下方には、搬送部２５により搬入された紙幣を集積する集積部２６が配置されている。
【００２４】
集積部２６には、図３に示すように、後側カバー２３側から前側カバー２２に向って下方に傾斜する集積板２７と、その下方に配置された圧縮コイルスプリング等の支持バネ２８、集積板２７の前側カバー２３側に配置された集積板２７上に集積された紙幣の前端を係止する係止板２９が設けられている。
この集積板２７には、搬入ローラ２５ａにより搬入された紙幣が、係止板２９に先端を係止された状態で厚さ方向に集積され、支持バネ２８は、集積板２７上に集積された紙幣の自重に応じて集積板２７を下方に移動させる。
【００２５】
本実施例の前側カバー２２の前面板２２ａの内側の４隅には、図４に示すように、ネジ３１を挿通させるための貫通穴である穴部３２ａ（図６参照）を設けた取付部３２が後側カバー２３側に伸張させた状態で取付けられている。
後側カバー２３の内側には、図５、図６に示すように、その外壁を構成する天板２３ａの両側端部にネジ３１の雄ネジを螺合させるための、ネジ固定部としてのネジ穴３３がそれぞれ設けられ、底板２３ｂの両側端部にも同様のネジ穴３３がそれぞれ設けられている。
【００２６】
なお、図５は、搬送部２５と集積部２６を取除いた状態で描いた筐体２１の断面図である。
本実施例のネジ穴３３は、後側カバー２３の外壁の内面に開口する袋状の雌ネジ穴である。
後側カバー２３の後面板２３ｃの内側には、各ネジ穴３３に対向する位置にネジ３１を挿通させるための貫通穴である挿通穴３５ａが設けられたネジ座面受け部３５が設けられ、各ネジ座面受け部３５と、天板２３ａまたは底板２３ｂの内面との間には、前側カバー２２の取付部３２を嵌合させるための所定の隙間Ｓ（図６参照）が設けられている。
【００２７】
具体的には、各ネジ座面受け部３５は、天板２３ａまたは底板２３ｂとの間で側面から見て凹み形状を形成するように設けられ、この凹み形状の開口部分は前側カバー２２側に向けられている。
【００２８】
また、ネジ座面受け部３５は、ネジ３１による締付け時に、頭部の裏面であるネジ座面を接触させるために設けられている。
上記の構成のリジェクトカセット１６を組立てる場合は、後側カバー２３に搬送部２５と集積部２６を取付けた後に、図７（ａ）に示すように、前側カバー２２と後側カバー２３の開口部を対向させ、図７（ｂ）に示すように、前側カバー２２の各取付部３２を、ネジ座面受け部３５と天板２３ａまたは底板２３ｂとの間の開口部分を介して、所定の隙間Ｓに挿入し前側カバー２２と後側カバー２３を組合せる。
【００２９】
そして、扉２４を解錠して開放することで、外部から内部空間２１ａへのアクセスを可能な状態とし、ネジ３１を前側カバー２２のネジ座面受け部３５の挿通穴３５ａと後側カバー２３の取付部３２の穴部３２ａに挿通させ、後側カバー２３の天板２３ａおよび底板３３ｂに設けられたネジ穴３３に螺合させ、規定のトルクで締付けて前側カバー２２と後側カバー２３を締結し、図５に示す筐体２１を組立てる。
【００３０】
このとき、ネジ３１の締結力によってネジ座面受け部３５が取付部３２側に撓んで取付部３２に接触し、前側カバー２２と後側カバー２３の移動が抑制される。
【００３１】
この場合に、袋状のネジ穴３３にネジ３１を螺合させて内側から締結するのは、ネジ３１の存在を外観から見えないようにして簡単に分解されることを防止するためである。
このようなリジェクトカセット１６の筐体２１を、垂直方向に落下させた場合には、落下時の衝撃により、前側カバー２２と後側カバー２３が相反する方向に移動する場合があるが、本実施例のネジ３１のネジ座面は、後側カバー２３に設けられたネジ座面受け部３５に押圧した状態でネジ穴３３に螺合しているので、ネジ３１は後側カバー２３と同方向に移動する。
【００３２】
このとき、前側カバー２２の取付部３２は反対方向に移動するが、本実施例のネジ３１ネジ座面は、後側カバー２３のネジ座面受け部３５を押圧しているので、取付部３２はネジ座面に摺動することなく別方向に移動し、取付部３２とネジ座面との間に摩擦力が発生しないため、ネジ３１の緩みが防止される。
【００３３】
また、ネジ緩みの発生を防止する方法としては、例えば、図８に比較例として示した位置決め構造のように、一の板４１に設けた２つの位置決めボス４２ａ、４２ｂに、他の板４３に設けた位置決め穴４４ａ、４４ｂを嵌合させ、ネジ４６を他の板４３に設けられた貫通穴に挿通させ、一の板４１の位置決めボス４２ａ、４２ｂの間に設けられたネジ穴に螺合させて締結することにより、一の板４１と他の板４３との前後、左右方向の移動を規制する方法が考えられる。
【００３４】
このような位置決め構造を、リジェクトカセットの筐体５１を形成する前側カバー５２と後側カバー５３に適用すると、図９に示ように、前側カバー５２と後側カバー５３の組立時に、前側カバー５２の取付部５４を後側カバー５３の内面側に水平方向に挿入しようとすると、位置決め穴４４ａ、４４ｂを設けた取付部５４が、位置決めボス４２ｂに当接してしまい組立作業が複雑になる。
【００３５】
この点、上記した本実施例の構成によれば、比較例として示した図８、図９の構成と比べて、前側カバー２２、後側カバー２３からなる筐体２１の組立性を複雑にすることなく、ネジ３１の緩みを防止することができる。
【００３６】
以上説明したように、本実施例では、後側カバー２３の天板２３ａ、底板２３ｂに袋状のネジ穴３３を設け、後面板２３ｃにネジ３１を挿通させる挿通穴３５ａを設けたネジ座面受け部３５を所定の隙間Ｓを介して配置し、その隙間Ｓに前側カバー２２の前面板２３ａにネジ３１を挿通させる穴部３２ａを設けた取付部３２を挿入して、ネジ穴３２ａと挿通穴３５ａに挿通させたネジ３１で締結するので、取付部３２とネジ３１のネジ座面との摺動を回避して、ネジ３１の緩みを防止することができる。
【００３７】
なお、上記実施例においては、前側カバー２２を固定するネジ穴３３を設けた後側カバー２３に、前側カバー２２を組合せて締結するとして説明したが、後側カバー２３を固定するネジ穴３３を設けた前側カバー３２に、後側カバー２３を組合せて締結するようにしてもよい。
【００３８】
また、上記実施例においては、媒体処理装置はリジェクトカセット１６であるとして説明したが、媒体処理装置は前記に限らず、紙幣カセット１５等であってもよい。
【００３９】
更に、上記実施例においては、媒体処理装置は、一方が開放された２つの箱状部材を前後に配置して筐体２１を形成するとして説明したが、２つの箱状部材を上下に配置するようにしてもよく、左右に配置するようにしてもよい。
【符号の説明】
【００４０】
１    現金自動預払機
３    操作表示部
４    キー入力部
５    カード取扱部
６    レシート発行部
８    紙幣入出金機
１１  入出金口
１２  鑑別部
１３  一時保留部
１５  紙幣カセット
１６  リジェクトカセット
１７  搬送路
２１、５１、６１  筐体
２１ａ  内部空間
２２、５２、６２  前側カバー
２２ａ  前面板
２３、５３、６３  後側カバー
２３ａ  天板
２３ｂ  底板
２３ｃ  後面板
２４、６５  扉
２５  搬送部
２５ａ  搬入ローラ
２６  集積部
２７  集積板
２８  支持バネ
２９  係止板
３１、４６、６６  ネジ
３２、５４、６４  取付部
３２ａ  穴部
３３  ネジ穴
３５  ネジ座面受け部
３５ａ  挿通穴
４１  一の板
４２ａ、４２ｂ  位置決めボス
４３  他の板
４４ａ、４４ｂ  位置決め穴
６７  ドライバ
【図１】
2019159626.tif 000003
【図２】
2019159626.tif 000004
【図３】
2019159626.tif 000005
【図４】
2019159626.tif 000006
【図５】
2019159626.tif 000007
【図６】
2019159626.tif 000008
【図７】
2019159626.tif 000009
【図８】
2019159626.tif 000010
【図９】
2019159626.tif 000011
【図１０】
2019159626.tif 000012
【図１１】
2019159626.tif 000013